(57)【要約】      （修正有）【課題】使用者の利便性を維持しつつ、安全性を向上し得る扇風機を提供する。【解決手段】ガードは、ファンを囲繞する導電性材料製のファンガードと、ファンガードに設けられ、ファンガードと電気的に接続される導電材料製の持ち運び用把持部とから構成され、制御部は、ガードへの物体の近接若しくは接触を検出した際にモータを停止すると共に、計時を開始し、所定時間以内に物体が離間した場合にモータへの通電を開始し、所定時間以上経過して物体が離間した場合にはモータへの通電停止状態を継続することを特徴とする。【選択図】図３
2012193677.tif 000002
【特許請求の範囲】
【請求項１】
扇風機本体と、該扇風機本体内に配設されるモータと、該モータを介して回転する送風用のファンと、該ファンへの物体の接触を防止するガードと、該ガードと電気的に接続され、前記ガードへの物体の近接若しくは接触とガードからの離間とを検出する検出部と、該検出部がガードへの物体の近接若しくは接触を検出した際にモータの回転を停止する制御部とを備え、
前記ガードは、前記ファンを囲繞する導電性材料製のファンガードと、該ファンガードに設けられ、前記ファンガードと電気的に接続される導電材料製の持ち運び用把持部とから構成され、
前記制御部は、前記ガードへの物体の近接若しくは接触を検出した際に前記モータを停止すると共に、計時を開始し、所定時間以内に物体が離間した場合に前記モータへの通電を開始し、所定時間以上経過して物体が離間した場合にはモータへの通電停止状態を継続することを特徴とする扇風機。
【請求項２】
前記制御部は、短時間の間に所定回数以上、物体がガードに近接若しくは接触した場合には、前記モータを停止させると共に、モータへの通電停止状態を継続することを特徴とする請求項１記載の扇風機。
【発明の詳細な説明】
【技術分野】
【０００１】
扇風機に関するものである。
【背景技術】
【０００２】
一般的な扇風機は、モータによって回転駆動されるファンへの物体の接触を防止するガードが設けられており、このガードは、ファンを囲繞するファンガードと、ファンガードに設けられる持ち運び用の把持部とで構成されている。そして、使用者が誤ってファンに触れる危険性を防止するために、ガードに主に人体等の物体が接触した際に、ファンの回転を停止させるように構成した扇風機が知られている（特許文献１）。
【０００３】
例えば特許文献１の扇風機は、ファンガード及び把持部を導電性材料で形成し、ファンガードと把持部とを電気的に接続すると共に、ガードを静電容量センサに接続し、静電容量センサによってガードの静電容量の変化を検出することで、主に人体等の物体がガードに近接若しくは接触したことを検出できるようになっている。
【先行技術文献】
【特許文献】
【０００４】
【特許文献１】特公昭５１−３２２０２号公報
【発明の概要】
【発明が解決しようとする課題】
【０００５】
特許文献１の扇風機は、ガードに人体等が近接若しくは接触した際に、モータの回転を停止させ、ガードから人体等が離れると、自動的に運転を継続させるように構成されており、人体等の離間により運転を自動的に再開するよう構成することで、使用者の再操作の手間を省き、使用者の利便性が低下することがないようにしている。
【０００６】
しかしながら、扇風機を移動させた場合などには、運転を自動的に再開することで危険が生じる虞がある。即ち、扇風機を移動させた際、例えば不安定な状態で設置された場合には、運転再開時の首振り動作により転倒する虞がある。また、この危険性を防止するために、扇風機を移動させる際には、電源を遮断することが考えられるが、電源の遮断及び再通電操作が必要となり、使用勝手が悪い等の問題がある。
【０００７】
本発明は、上記問題を解決するためになされたもので、使用者の利便性を維持しつつ、安全性を向上し得る扇風機を提供することを課題とする。
【課題を解決するための手段】
【０００８】
扇風機本体と、該扇風機本体内に配設されるモータと、該モータを介して回転する送風用のファンと、該ファンへの物体の接触を防止するガードと、該ガードと電気的に接続され、前記ガードへの物体の近接若しくは接触とガードからの離間とを検出する検出部と、該検出部がガードへの物体の近接若しくは接触を検出した際にモータの回転を停止する制御部とを備え、前記ガードは、前記ファンを囲繞する導電性材料製のファンガードと、該ファンガードに設けられ、前記ファンガードと電気的に接続される導電材料製の持ち運び用把持部とから構成され、前記制御部は、前記ガードへの物体の近接若しくは接触を検出した際に前記モータを停止すると共に、計時を開始し、所定時間以内に物体が離間した場合に前記モータへの通電を開始し、所定時間以上経過して物体が離間した場合にはモータへの通電停止状態を継続することを特徴とする。
前記制御部は、短時間の間に所定回数以上、物体がガードに近接若しくは接触した場合には、前記モータを停止させると共に、モータへの通電停止状態を継続することが好ましい。
【発明の効果】
【０００９】
請求項１によると、物体がガードに接触する時間が短時間であれば、物体の離間と共に扇風機の運転を再開させることができ、移動のために比較的長時間ガードに接触している場合には、扇風機の運転を停止させることができるので、使用者の利便性を維持しつつ、安全性を向上させることができる等の効果を奏する。
【００１０】
請求項２によると、いたずら等により短時間の間に複数回のガードへの近接若しくは接触が検出された場合には、扇風機の運転を停止させることができるので、さらに安全性を向上させることができる等の効果を奏する。
【図面の簡単な説明】
【００１１】
【図１】本発明の実施形態の側面図である。
【図２】同電気的接続を示すブロック図である。
【図３】同制御部の制御を示すフローチャートである。
【発明を実施するための形態】
【００１２】
本発明の実施形態について図１乃至図３に基づいて、以下に詳述する。
【００１３】
図１に示すように、１は扇風機本体で、床面等の載置面に載置するためのベース１０と、該ベース１０に立設される支柱２０と、内部にモータ２２を備え、前面に前記モータ２２の回転軸２３が突出するモータ収納部２１と、前記回転軸２３に装着されるファン２と、該ファン２を取り囲むように、前記モータ収納部２１に装着されるガード３０とで構成される。
【００１４】
前記ベース１０は、前記扇風機本体１の転倒を防止するために、上下に薄い板状に形成されている。前記ベース１０の上面には、操作キー等を備えた操作部１１が配設されている。前記ベース１０には、マイクロコンピュータ等で構成された制御部１２が内蔵されており、該制御部１２は、前記操作部１１の操作に基づいて、扇風機の運転（前記モータ２２の駆動等）を制御する。尚、前記操作部１１はベース１０から取り外し可能な、いわゆるリモコン形式であってもよい。また、リモコン形式の操作部に加えて、扇風機１のベース１０に備えられた操作部を有する構成としても良い。
【００１５】
前記支柱２０は、前記ベース１０の上面から上方へ立設され、上下方向に伸縮自在に構成されている。前記支柱２０の上端に、前記モータ収納部２１が配設されており、前記モータ収納部２１に内蔵されている前記モータ２２は、前記ベース１０内の前記操作部１１と電気的に接続されている。前記モータ収納部２１は、前面に前記モータ２２の回転軸２３が突出しており、該回転軸２３の基端側には、前記ガード３０を回り止めするための嵌合部（図示せず）が形成されている。また、前記モータ２２は、交流電力で駆動できるようになっており、前記ベース１０に配設される図示しない電源コード等を介して、商用電源から電力が供給される。
【００１６】
前記ガード３０は、導電性材料により籠状に形成されており、前記モータ収納部２１の嵌合部に略中央部が嵌合し、前記ファン２の後側を覆う後部ファンガード３１と、該後部ファンガード３１に係合され、前記ファン２の前面を覆う前部ファンガード３２と、前記後部ファンガード３１の上方位置に設けられ、導電性材料を折り曲げて形成された扇風機本体１持ち運び用の把持部３３とで構成されている。前記前部ファンガード３２と後部ファンガード３１と把持部３３とは夫々電気的に接続されている。
【００１７】
図２のブロック図に示すように、前記制御部１２に対して、前記モータ２２、前記操作部１１、検出部４０、モータ駆動部４１、モータ停止部４２、及び表示部（図示せず）が電気的に接続されている。また、前記検出部４０は、前記ガード３０（前記前部ファンガード３２、前記後部ファンガード３１、前記把持部３３）と電気的に接続されている。
【００１８】
前記操作部１１は、扇風機の運転を開始するために操作される運転入キー４３、扇風機の運転を停止するために操作される運転切キー４４、及びその他扇風機の運転時間を設定するタイマースイッチ、扇風機の首振りを制御する首振りスイッチ（いずれも図示せず）等を備えている。
【００１９】
前記検出部４０は、物体が前記ガード３０に近接若しくは接触した際の静電容量の変化を検出する静電容量センサで構成され、物体の前記ガード３０への近接若しくは接触と離間を検出することができるようになっている。
【００２０】
前記モータ駆動部４１は、前記モータ２２を回転駆動させるものである。前記モータ停止部４２は、検出部４０がガード３０への物体の近接若しくは接触を検出した際に、制御部１２からの出力に基づいてモータ２２にブレーキをかけ、ファン２を短時間で停止させるものである。
【００２１】
前記制御部１２は、前記検出部４０が前記ガード３０への物体の接触を検出した際に、計時を開始し、前記検出部４０の検出出力と、計時している接触時間に応じて、前記モータ駆動部４１及び前記モータ停止部４２の制御を行う。
【００２２】
次に、図３に示すフローチャートに基づいて、本実施形態の制御部１２の制御を以下に説明する。
【００２３】
ＳＴＥＰ１において、運転入キー４３が操作されたか否か判断し、運転入キー４３が操作されると、モータ駆動部４１を介してモータ２２を駆動し、ファン２を回転させる（ＳＴＥＰ２）。モータ２２の駆動状態において、運転切キー４４が操作されると（ＳＴＥＰ３）、モータ２２への通電を停止する（ＳＴＥＰ４）。
【００２４】
モータ２２の駆動状態において、ＳＴＥＰ５にて、物体がガード３０に近接若しくは接触したかを検出部４０に基づいて判断し、物体がガード３０に近接若しくは接触した出力を検出部４０が出力した場合には、モータ２２への通電を停止すると共に、モータ２２にブレーキをかけてファン２を急速に停止させ、さらに、物体がガード３０から離間するまで計時を行う（ＳＴＥＰ６）。物体がガード３０に近接若しくは接触した状態が比較的長時間継続しているか否か判断する（ＳＴＥＰ７及びＳＴＥＰ８）。物体がガード３０に近接若しくは接触した状態が比較的長時間継続する状態は、例えば、扇風機を移動させる場合などを想定し、本実施形態では、１秒を設定している。物体がガード３０に近接若しくは接触して１秒以内に物体がガード３０から離間したことを検出部４０の出力に基づいて判断すると、計時を終了し、ＳＴＥＰ２に移行し、モータ駆動部４１を介してモータ２２を駆動する。
【００２５】
ＳＴＥＰ７において、物体がガード３０に近接若しくは接触した状態で１秒以上経過している場合には、扇風機を移動させているなどの状態と判断して、計時を終了し（ＳＴＥＰ１０）、電源を遮断する。
【００２６】
この構成によると、例えば、検出部４０の出力を介して、瞬間的なガード３０への近接若しくは接触と、移動のための把持部３３への接触とを判定すること等ができ、この判定に応じて、制御部１２の制御を分けることができる。そのため、瞬間的な接触等でモータ２２が停止した際には、再び運転入キー４３を操作することなく運転が再開させることができる。
【００２７】
接触時間が１秒以上であった場合には、電源が遮断されるので、扇風機が不安定な状態で設置されて運転再開時の首振り動作等により転倒する虞はない。また、運転切キー４４を操作することなく、扇風機を安全に移動させることができ、利便性を維持したまま、安全性を向上させることができる。
【００２８】
尚、上記実施形態では、物体がガード３０に近接若しくは接触した状態が比較的長時間継続する状態は、例えば、扇風機を移動させる場合などを想定し、本実施形態では、１秒を設定しているが、商用電源に接続された状態であり、移動距離が制限されていることを考慮してより短時間に設定しても良い。
【００２９】
ガード３０に人体等の物体が近接若しくは当接した際にモータ２２を停止し、物体が離間すると自動的に運転を再開する扇風機は、子供の注意を引きやすく、子供が何度もガード３０に近接若しくは当接し、離間する動作を繰り返す可能性があり、危険が生じる虞がある。
【００３０】
従って、短時間の間に所定回数以上、物体がガード３０に近接若しくは接触した場合に、電源を遮断するよう構成し、安全性を向上させるよう構成しても良い。
【産業上の利用可能性】
【００３１】
本発明は、扇風機に広く利用可能である。
【符号の説明】
【００３２】
１    扇風機本体
２    ファン
２２  モータ
３０  ガード
３１  後部ファンガード
３２  前部ファンガード
３３  把持部
４０  制御部
【図１】
2012193677.tif 000003
【図２】
2012193677.tif 000004
【図３】
2012193677.tif 000005
【手続補正書】
【提出日】平成23年4月4日(2011.4.4)
【手続補正１】
【補正対象書類名】明細書
【補正対象項目名】００１１
【補正方法】変更
【補正の内容】
【００１１】
【図１】本発明の実施形態の側面図である。
【図２】同電気的接続を示すブロック図である。
【図３】同制御部の制御を示すフローチャートである。
【図４】同後部ファンガードを取り付ける前のモータ収納部の断面図である。
【図５】同後部ファンガードを取り付けた後のモータ収納部の断面図である。
【図６】他の実施例で、後部ファンガードを取り付ける前のモータ収納部の断面図である。
【図７】同後部ファンガードを取り付けた後のモータ収納部の断面図である。
【手続補正２】
【補正対象書類名】明細書
【補正対象項目名】００１９
【補正方法】変更
【補正の内容】
【００１９】
前記検出部４０は、物体が前記ガード３０に近接若しくは接触した際の静電容量の変化を検出する静電容量センサで構成され、物体の前記ガード３０への近接若しくは接触と離間を検出することができるようになっている。
図４は、物体の前記ガード３０への近接若しくは接触を検出部４０に伝えるための構造を示す。モータ収納部２１内には、検出部４０と電気的に接続されたバネ性の接片２５が取り付けられ、この接片２５に形成された接点２５ａがモータ収納部２１外に突出している。後部ファンガード３１をモータ収納部２１に取り付けると、図５の如く、後部ファンガード３１が接点２５ａをバネ性に抗して押圧し、人体等の物体のガード３０への近接若しくは接触を検出部４０に伝える。後部ファンガード３１は、接点２５ａをバネ性に抗して押圧しているので、電気的接触は確実に行われる。
接片２５は、その先端部を二股に分けて、接点２５ａを夫々に形成することにより、片側の接点が仮に変形して後部ファンガード３１との接触が悪くなっても、残りの接点が後部ファンガード３１と接触するようにしておくとよい。
図６は、モータ収納部２１内に設ける接片２５を板状にして、モータ収納部２１外へ突出しないようにしたもので、後部ファンガード３１に突起部３５を形成したものである。後部ファンガード３１をモータ収納部２１に取り付けると、図７の如く、突起部３５が接片２５を押圧して、接触する構造である。接片２５が外部に露出しないので、接片２５を保護して変形等を防止できる。
【手続補正３】
【補正対象書類名】図面
【補正対象項目名】図４
【補正方法】変更
【補正の内容】
【図４】
2012193677.tif 000006
【手続補正４】
【補正対象書類名】図面
【補正対象項目名】図５
【補正方法】変更
【補正の内容】
【図５】
2012193677.tif 000007
【手続補正５】
【補正対象書類名】図面
【補正対象項目名】図６
【補正方法】変更
【補正の内容】
【図６】
2012193677.tif 000008
【手続補正６】
【補正対象書類名】図面
【補正対象項目名】図７
【補正方法】変更
【補正の内容】
【図７】
2012193677.tif 000009